(57)【要約】【課題】画像処理負荷を軽減した状態で、選択可能な複数のカラーモードで対象画像を一覧表示することが可能なプロジェクタ等を提供すること。【解決手段】プロジェクタ１００が、区分領域ごとにカラーモードごとの対象画像を示す一覧プレビュー画像を生成する画像生成部１５０と、前記カラーモードに応じた複数種の調整部材を有する調整ユニット２１０と、調整ユニット２１０を駆動する駆動部２３０と、一覧プレビュー指示状態かどうかを判定する判定部１４０と、前記一覧プレビュー指示状態の場合、光源１９２からの光を、調整部材２２０を透過させることにより、前記一覧プレビュー画像を投写する投写部１９０を含んで構成され、駆動部２３０が、前記一覧プレビュー指示状態の場合、前記区分領域に対応した位置に当該区分領域に対応した調整部材２２０が位置するように、調整ユニット２１０を駆動する。【選択図】図４
2009169134.tif 000002
【特許請求の範囲】
【請求項１】
区分領域ごとにカラーモードごとの対象画像を示す一覧プレビュー画像を生成する画像生成部と、
前記カラーモードに応じた複数種の調整部材を有する調整ユニットと、
当該調整ユニットを駆動する駆動部と、
一覧プレビュー指示状態かどうかを判定する判定部と、
前記一覧プレビュー指示状態の場合、光源からの光を、前記調整部材を透過させ、あるいは、前記調整部材で反射させることにより、前記一覧プレビュー画像を投写する投写部と、
を含み、
前記駆動部は、前記一覧プレビュー指示状態の場合、前記区分領域に対応した位置に当該区分領域に対応した前記調整部材が位置するように、前記調整ユニットを駆動することを特徴とするプロジェクタ。
【請求項２】
請求項１に記載のプロジェクタにおいて、
前記一覧プレビュー指示状態の場合、最高輝度で発光されるように前記光源を制御する制御部を含むことを特徴とするプロジェクタ。
【請求項３】
請求項１、２のいずれかに記載のプロジェクタにおいて、
ユーザによるカラーモードの選択を示す選択情報を入力する情報入力部を含み、
前記駆動部は、前記選択情報に基づき、選択されたカラーモードに応じた前記調整部材が位置するように、前記調整ユニットを駆動することを特徴とするプロジェクタ。
【請求項４】
請求項３に記載のプロジェクタにおいて、
前記調整部材は、当該調整部材がどのカラーモードに対応しているかを示す識別情報を有し、
前記調整ユニットは、各調整部材の配置および前記識別情報を示す配置情報を前記駆動部に出力し、
前記駆動部は、前記配置情報と、前記選択情報とに基づき、前記調整ユニットを駆動することを特徴とするプロジェクタ。
【請求項５】
請求項４に記載のプロジェクタにおいて、
前記調整部材は、前記調整ユニットに着脱自在に形成されていることを特徴とするプロジェクタ。
【請求項６】
請求項５に記載のプロジェクタにおいて、
選択可能なカラーモードと、前記調整ユニットにおける各調整部材の配置とを示す選択可能カラーモードデータを記憶する記憶部と、
前記選択可能カラーモードデータを更新する更新部と、
を含み、
前記画像生成部は、前記選択可能カラーモードデータに基づき、前記一覧プレビュー画像を生成し、
前記調整ユニットは、前記調整部材の着脱に応じて前記配置情報を前記更新部に出力し、
前記更新部は、前記配置情報に基づき、前記選択可能カラーモードデータを更新することを特徴とするプロジェクタ。
【請求項７】
所定の情報をプロジェクタと入出力する入出力部と、
カラーモードに応じた複数種の調整部材を有する調整ユニットと、
当該調整ユニットを駆動する駆動部と、
を含む調整装置であって、
前記入出力部は、プロジェクタから区分領域ごとにカラーモードごとの対象画像を示す一覧プレビュー画像を表示することを指示する一覧プレビュー指示情報を入力し、
前記駆動部は、前記一覧プレビュー指示情報が入力された場合、前記区分領域に対応した位置に当該区分領域に対応した前記調整部材が位置するように、前記調整ユニットを駆動することを特徴とする調整装置。
【請求項８】
カラーモードに応じた複数種の調整部材を有する調整ユニットを含むプロジェクタを用いた画像の投写方法であって、
前記プロジェクタは、
一覧プレビュー指示状態かどうかを判定し、
一覧プレビュー指示状態である場合、
区分領域ごとにカラーモードごとの対象画像を示す一覧プレビュー画像を生成し、
前記区分領域に対応した位置に当該区分領域に対応した前記調整部材が位置するように、前記調整ユニットを駆動し、
光源からの光を、前記調整部材を透過させ、あるいは、前記調整部材で反射させることにより、前記一覧プレビュー画像を投写することを特徴とする投写方法。
【発明の詳細な説明】
【技術分野】
【０００１】
本発明は、カラーモードに応じたプレビュー画像を表示するプロジェクタ、調整装置および投写方法に関する。
【背景技術】
【０００２】
プロジェクタは、シアター、ナチュラル等の設定カラーモードに応じて画像を投写する。特開２００７−７４３４７号公報に記載されているように、ユーザは、ＯＳＤ(On Screen Display)画像が表示された状態で、キーを操作して所望のカラーモードを選択する。また、当該公報では、比較を容易にするため、プロジェクタが、現在使用中のパラメータセットに基づいて調整された画像と、登録済みのパラメータセットに基づいて調整された画像を同時に表示することが記載されている。
【特許文献１】特開２００７−７４３４７号公報
【発明の開示】
【発明が解決しようとする課題】
【０００３】
しかし、上記公報の手法では、パラメータセットに基づいて各画像を調整する必要があるため、画像処理が複雑になる。また、上記公報の手法は、現在表示されていない複数の画像モードを比較する手法ではないため、ユーザは比較対象の選択、比較用画像の投写、比較を複数回行う必要がある。このため、ユーザが所望の画像モードを決定するまでの時間が長くなってしまうという問題がある。
【０００４】
本発明の目的は、画像処理負荷を軽減した状態で、選択可能な複数のカラーモードで対象画像を一覧表示することが可能なプロジェクタ、調整装置および投写方法を提供することにある。
【課題を解決するための手段】
【０００５】
上記課題を解決するため、本発明に係るプロジェクタは、区分領域ごとにカラーモードごとの対象画像を示す一覧プレビュー画像を生成する画像生成部と、前記カラーモードに応じた複数種の調整部材を有する調整ユニットと、当該調整ユニットを駆動する駆動部と、一覧プレビュー指示状態かどうかを判定する判定部と、前記一覧プレビュー指示状態の場合、光源からの光を、前記調整部材を透過させ、あるいは、前記調整部材で反射させることにより、前記一覧プレビュー画像を投写する投写部と、を含み、前記駆動部は、前記一覧プレビュー指示状態の場合、前記区分領域に対応した位置に当該区分領域に対応した前記調整部材が位置するように、前記調整ユニットを駆動することを特徴とする。
【０００６】
また、本発明に係る調整装置は、所定の情報をプロジェクタと入出力する入出力部と、カラーモードに応じた複数種の調整部材を有する調整ユニットと、当該調整ユニットを駆動する駆動部と、を含む調整装置であって、前記入出力部は、プロジェクタから区分領域ごとにカラーモードごとの対象画像を示す一覧プレビュー画像を表示することを指示する一覧プレビュー指示情報を入力し、前記駆動部は、前記一覧プレビュー指示情報が入力された場合、前記区分領域に対応した位置に当該区分領域に対応した前記調整部材が位置するように、前記調整ユニットを駆動することを特徴とする。
【０００７】
また、本発明に係る投写方法は、カラーモードに応じた複数種の調整部材を有する調整ユニットを含むプロジェクタを用いた画像の投写方法であって、前記プロジェクタは、一覧プレビュー指示状態かどうかを判定し、一覧プレビュー指示状態である場合、区分領域ごとにカラーモードごとの対象画像を示す一覧プレビュー画像を生成し、前記区分領域に対応した位置に当該区分領域に対応した前記調整部材が位置するように、前記調整ユニットを駆動し、光源からの光を、前記調整部材を透過させ、あるいは、前記調整部材で反射させることにより、前記一覧プレビュー画像を投写することを特徴とする。
【０００８】
本発明によれば、プロジェクタ等は、区分領域に対応した位置に当該区分領域に対応した調整部材が位置するように、調整ユニットを駆動することにより、カラーモードごとの画像処理を実行することなく、異なるカラーモードごとの対象画像を同時に表示するプレビュー画像を投写することができる。これにより、プロジェクタ等は、画像処理負荷を軽減した状態で、使用対象の画像モードをより短時間でユーザに決定させることができる。
【０００９】
また、前記プロジェクタは、前記一覧プレビュー指示状態の場合、最高輝度で発光されるように前記光源を制御する制御部を含んでもよい。
【００１０】
これによれば、プロジェクタは、最高輝度で発光されるように光源を制御することにより、最も明るいカラーモードでの対象画像を適切に投写することができる。
【００１１】
また、前記プロジェクタは、ユーザによるカラーモードの選択を示す選択情報を入力する情報入力部を含み、前記駆動部は、前記選択情報に基づき、選択されたカラーモードに応じた前記調整部材が位置するように、前記調整ユニットを駆動してもよい。
【００１２】
これによれば、プロジェクタは、カラーモードに応じた画像処理を実行することなく、画像処理負荷を軽減した状態で、選択に応じたカラーモードで画像を投写することができる。
【００１３】
また、前記調整部材は、当該調整部材がどのカラーモードに対応しているかを示す識別情報を有し、前記調整ユニットは、各調整部材の配置および前記識別情報を示す配置情報を前記駆動部に出力し、前記駆動部は、前記配置情報と、前記選択情報とに基づき、前記調整ユニットを駆動してもよい。
【００１４】
これによれば、プロジェクタは、どの位置にどのカラーモードに対応した調整部材が配置されているかを把握することができるため、調整ユニットをより適切に駆動することができる。
【００１５】
また、前記調整部材は、前記調整ユニットに着脱自在に形成されていてもよい。
【００１６】
これによれば、プロジェクタは、あるカラーモードに対応した調整部材が別のカラーモードに対応した調整部材に変更された場合であっても、変更後の調整部材が対応しているカラーモードを把握することができ、カラーモードの変更や仕様の変更等にも適切に対応することができる。
【００１７】
また、前記プロジェクタは、選択可能なカラーモードと、前記調整ユニットにおける各調整部材の配置とを示す選択可能カラーモードデータを記憶する記憶部と、前記選択可能カラーモードデータを更新する更新部と、を含み、前記画像生成部は、前記選択可能カラーモードデータに基づき、前記一覧プレビュー画像を生成し、前記調整ユニットは、前記調整部材の着脱に応じて前記配置情報を前記更新部に出力し、前記更新部は、前記配置情報に基づき、前記選択可能カラーモードデータを更新してもよい。
【００１８】
これによれば、プロジェクタは、調整ユニットに設けられている調整部材のカラーモードを把握することができるため、調整ユニットの最新の状態を把握することができ、カラーモードの変更や仕様の変更等にも適切に対応することができる。
【発明を実施するための最良の形態】
【００１９】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１（Ａ）は、第１の実施例におけるプロジェクタ１００のプレビュー時の正面図であり、図１（Ｂ）は、第１の実施例におけるプロジェクタ１００の通常時の正面図である。また、図２（Ａ）は、第１の実施例におけるプロジェクタ１００のプレビュー時の側面図であり、図２（Ｂ）は、第１の実施例におけるプロジェクタ１００の通常時の側面図である。また、図３（Ａ）は、第１の実施例における生成時の一覧プレビュー画像３００の一例を示す図であり、図３（Ｂ）は、第１の実施例における投写時の一覧プレビュー画像３００の一例を示す図である。
【００２１】
プロジェクタ１００は、カラーモードに応じた３種類の調整部材２２０−１〜２２０―３と、調整部材２２０を一体化した調整ユニット２１０を水平方向に移動させる駆動部２３０−１と、調整ユニット２１０を垂直方向に移動させる駆動部２３０−２を含んで構成されている。なお、駆動部２３０−２はプロジェクタ１００本体に取り付けられている。
【００２２】
ここでは、カラーモードとして、プレゼンテーション、リビング、シアター、ｓＲＧＢがあり、調整部材２２０−１がプレゼンテーション、調整部材２２０−２がリビング、調整部材２２０−３がシアター、調整部材２２０−４がｓＲＧＢに対応しているものとする。
【００２３】
例えば、プレビュー時の場合、図１（Ａ）および図２（Ａ）に示すように、調整部材２２０−１〜２２０−４の一部がプロジェクタ１００のレンズの前に位置している。これにより、プロジェクタ１００は、図３（Ａ）に示す一覧プレビュー画像３００をスクリーン等に投写すれば、図３（Ｂ）に示すように、調整部材２２０−１を透過した対象画像３０２−１、調整部材２２０−２を透過した対象画像３０２−２、調整部材２２０−３を透過した対象画像３０２−３、調整部材２２０−４を透過した対象画像３０２−４を表示することができる。
【００２４】
また、ユーザが、一覧プレビュー画像３００が投写された状態で、カラーモードとしてシアターを選択した場合、図１（Ｂ）および図２（Ｂ）に示すように、シアターに対応した調整部材２２０−３のみがプロジェクタ１００のレンズの前面に位置するように、駆動部２３０は調整ユニット２１０を移動させる。これにより、プロジェクタ１００は、カラーモードに対応した画像を投写することができる。
【００２５】
次に、このような機能を有するプロジェクタ１００の機能ブロックについて説明する。図４は、第１の実施例におけるプロジェクタ１００の機能ブロック図である。
【００２６】
プロジェクタ１００は、外部のＰＣ(Personal Computer)等の画像供給装置から画像情報を入力する画像入力部１１０と、リモートコントローラ等からユーザの選択情報等を入力する情報入力部１１２と、記憶部１３０と、記憶部１３０内のデータを更新する更新部１２０と、種々の判定を行う判定部１４０を含んで構成されている。
【００２７】
また、プロジェクタ１００は、画像を生成する画像生成部１５０と、光源１９２を有する投写部１９０と、光源１９２、駆動部２３０等を制御する制御部１６０と、調整部材２２０を有する調整ユニット２１０と、調整ユニット２１０を駆動する駆動部２３０を含んで構成されている。また、記憶部１３０は、選択可能なカラーモードを示す選択可能カラーモードデータ１３２、画像データ１３４等を記憶している。
【００２８】
なお、選択可能カラーモードデータ１３２は、例えば、カラーモードと、調整ユニット２１０における調整部材２２０の位置との対応付けを示すデータである。例えば、選択可能カラーモードデータ１３２は、左上の調整部材２２０−１がプレゼンテーションに対応し、右上の調整部材２２０−２がリビングに対応し、右下の調整部材２２０−３がシアターに対応し、左下の調整部材２２０−４がｓＲＧＢに対応していることを示す。
【００２９】
また、これらの各部の機能は、例えば、以下のハードウェアを用いてプロジェクタ１００に実装されてもよい。例えば、画像入力部１１０としては画像信号入力端子等、情報入力部１１２としては赤外ポート等、更新部１２０、判定部１４０、制御部１６０としてはＣＰＵ等、記憶部１３０としてはＲＡＭ等、画像生成部１５０としては画像処理回路等、投写部１９０としてはランプ、液晶パネル、レンズ等、駆動部２３０としてはモータ等、調整部材２２０としては透過フィルタ（例えば、輝度や色を変更するフィルタ等）等が採用されてもよい。
【００３０】
次に、これらの各部を用いたカラーモード変更時の処理の流れについて説明する。図５は、第１の実施例におけるカラーモード変更時の処理の流れを示すフローチャートである。
【００３１】
画像入力部１１０は、画像情報（例えば、ＲＧＢ信号等）を入力し、更新部１２０は、画像情報に基づき、画像データ１３４を更新し、画像生成部１５０は、画像データ１３４に基づき、通常画像を生成し、投写部１９０は、当該画像を投写する（ステップＳ１）。なお、ここでは、カラーモードとしてリビングが設定されており、プロジェクタ１００のレンズの前に調整部材２２０−２が位置しているものとする。
【００３２】
判定部１４０は、情報入力部１１２からの情報に基づき、ユーザによるプレビュー指示があるかどうかを判定する（ステップＳ２）。なお、プレビュー指示はユーザによるものには限定されず、外部の画像供給装置等からによる指示であってもよい。
【００３３】
プレビュー指示があった場合、制御部１６０は、最高輝度で発光するように光源１９２を制御する（ステップＳ３）。ユーザ設定等によって輝度が調整されている場合等であっても、カラーモードに応じた適切な輝度で画像を投写するためである。なお、制御部１６０は、輝度変更前の制御値を内部または記憶部１３０に記憶してもよい。
【００３４】
また、この場合、制御部１６０は、選択可能カラーモードデータ１３２に基づき、駆動部２３０を制御することにより、すべての調整部材２２０を光が透過して一覧プレビュー画像３００が投写されるように調整ユニット２１０を移動させる（ステップＳ４）。これにより、プロジェクタ１００は、図１（Ａ）および図２（Ａ）に示す状態になる。
【００３５】
画像生成部１５０は、選択可能カラーモードデータ１３２と、画像データ１３４に基づき、図３（Ａ）に示すように、現在表示されている画像（対象画像）を４つの区分領域にそれぞれ配置した一覧プレビュー画像３００を生成する（ステップＳ５）。なお、一覧プレビュー画像３００には、画像モードの名称（例えば、プレゼンテーション、シアター等）が含まれてもよい。
【００３６】
投写部１９０は、一覧プレビュー画像３００を、調整部材２２０を介して投写する（ステップＳ６）。これにより、図３（Ｂ）に示す一覧プレビュー画像３００が投写される。
【００３７】
ユーザは、リモートコントローラの数字キー等を操作して所望のカラーモードを選択する。判定部１４０は、情報入力部１１２からの選択情報に基づき、カラーモードの選択があったかどうかを判定する（ステップＳ７）。
【００３８】
カラーモードが選択された場合（ここでは、シアターが選択されたものとする。）、制御部１６０は、選択可能カラーモードデータ１３２に基づき、駆動部２３０を制御することにより、選択されたカラーモードに応じた調整部材２２０−２を光が透過して画像が投写されるように調整ユニット２１０を移動させる（ステップＳ８）。これにより、プロジェクタ１００は、図１（Ｂ）および図２（Ｂ）に示す状態になる。
【００３９】
制御部１６０は、記憶済みの元の制御値を参照し、カラーモードの変更前の輝度で投写されるように光源１９２を制御する（ステップＳ９）。
【００４０】
画像生成部１５０は、画像データ１３４に基づき、カラーモードに基づかない通常画像を生成し、投写部１９０は、当該画像を投写する（ステップＳ１０）。すなわち、調整部材２２０を介して画像を投写する場合、プロジェクタ１００は、カラーモードに応じた画像処理を実行しなくてもよい。
【００４１】
図６（Ａ）は、第１の実施例における変更前の投写時の通常画像３１０を示す図であり、図６（Ｂ）は、第１の実施例における変更後の投写時の通常画像３１２を示す図である。例えば、図１（Ｂ）および図２（Ｂ）に示すように、調整部材２２０−３がレンズの前に配置されることにより、投写時の通常画像３１２は、カラーモードがシアターの状態で投写される。
【００４２】
以上のように、本実施例によれば、プロジェクタ１００は、複数種のカラーモードに応じた一覧プレビュー画像３００を投写することにより、ユーザにカラーモード変更後の画像の状態を一目で確認させることができる。しかも、本実施例によれば、プロジェクタ１００は、対象画像として現在表示されている画像を用いることにより、現在表示されている画像がカラーモードの変更によってどのように変わるかをユーザにわかりやすく提示することができる。これにより、ユーザは、カラーモードごとの対象画像３０２を比較しながらカラーモードを決定することができるため、所望のカラーモードを選択しやすい。
【００４３】
また、本実施例によれば、プロジェクタ１００は、区分領域に対応した位置に当該区分領域に対応した調整部材２２０が位置するように、調整ユニット２１０を駆動することにより、カラーモードごとの画像処理を実行することなく、異なるカラーモードごとの対象画像３０２を同時に表示するプレビュー画像３００を投写することができる。これにより、プロジェクタ１００は、画像処理負荷を軽減した状態で、使用対象の画像モードをより短時間でユーザに決定させることができる。
【００４４】
また、本実施例によれば、プロジェクタ１００は、最高輝度で発光されるように光源１９２を制御することにより、最も明るいカラーモードでの対象画像３０２を適切に投写することができる。
【００４５】
また、本実施例によれば、プロジェクタ１００は、調整ユニット２１０を移動させることにより、カラーモードに応じた調整部材２２０をレンズの前に配置することができるため、カラーモードに応じた画像処理を実行することなく、画像処理負荷を軽減した状態で、選択に応じたカラーモードで画像を投写することができる。
【００４６】
（第２の実施例）
第１の実施例では調整部材２２０は固定されているが、調整部材２２０は着脱自在、すなわち、交換可能に形成されてもよい。また、調整ユニット２１０自体もプロジェクタ１００から独立した調整装置として形成されてもよい。次に、このような調整装置とプロジェクタについて説明する。
【００４７】
図７は、第２の実施例における調整部材２２１と支持部２２９を示す図である。調整ユニット２１１は、十字状の支持部２２９と、支持部２２９に着脱自在に形成された調整部材２２１−１〜２２１−４を含んで構成されている。なお、着脱するための機構としては、凹凸の噛み合わせ機構、電磁気による機構等の一般的に用いられている種々の機構が該当する。
【００４８】
次に、プロジェクと調整装置の機能ブロックについて説明する。図８は、第２の実施例におけるプロジェクタ１０１の機能ブロック図である。プロジェクタ１０１は、図４に示すプロジェクタ１００の構成に加えて情報出力部１１４を含み、調整ユニット２１０および駆動部２３０を含まない。
【００４９】
図９は、第２の実施例における調整装置２００の機能ブロック図である。調整装置２００は、調整ユニット２１１と、駆動部２３０と、情報入力部２４０と、更新部２５０と、記憶部２６０と、情報出力部２７０を含んで構成されている。
【００５０】
また、調整ユニット２１１は、調整部材２２１と、支持部２２９を含む。また、調整部材２２１は、識別情報２２５を記憶する記憶部２２４と、透過フィルタ２２６を含む。なお、識別情報２２５は、透過フィルタ２２６が対応しているカラーモードを示す情報である。
【００５１】
また、記憶部２６０は、各調整部材２２１の識別情報２２５および調整部材２２１が取り付けられている位置を示す配置情報２６２を記憶している。
【００５２】
なお、ハードウェア構成は第１の実施例と同様であるため、共通する部分についての説明は省略する。例えば、情報出力部１１４、情報入力部２４０、情報出力部２７０としては赤外ポート、ＵＳＢインターフェイス等、記憶部２２４、記憶部２６０としてはＲＡＭ等、更新部２５０としてはＣＰＵ等が採用されてもよい。
【００５３】
次に、これらの各部を用いた調整部材２２１の着脱時の処理の流れについて説明する。図１０は、第２の実施例における調整部材２２１の着脱時の処理の流れを示すフローチャートである。
【００５４】
情報入力部２４０は、支持部２２９に対する調整部材２２１の着脱があったかどうかを判定する（ステップＳ１１）。なお、着脱を判定する具体的な手法としては、例えば、センサ等によって物理的な接触を検出する手法、電気的な接触を検出する手法等が採用されてもよい。
【００５５】
着脱があった場合、情報入力部２４０は、支持部２２９に取り付けられているすべての調整部材２２１の識別情報２２５を読み取る（ステップＳ１２）。なお、情報入力部２４０は、支持部２２９への調整部材２２１の取り付け位置と関連付けて識別情報２２５を読み取ってもよい。
【００５６】
更新部２５０は、読み取られた識別情報２２５に基づき、配置情報２６２を更新する（ステップＳ１３）。例えば、配置情報２６２は、左上がプレゼンテーション、右上がリビング、右下がシアター、左下がｓＲＧＢ等の情報を示す。情報出力部２７０は、配置情報２６２をプロジェクタ１０１に出力する（ステップＳ１４）。
【００５７】
プロジェクタ１０１の情報入力部１１２は、調整装置２００から配置情報２６２を入力する（ステップＳ１５）。更新部１２０は、配置情報２６２に基づき、選択可能カラーモードデータ１３２を更新する（ステップＳ１６）。これにより、プロジェクタ１０１は、調整装置２００に取り付けられている各調整部材２２１の位置と各調整部材２２１が対応しているカラーモードを把握することができる。
【００５８】
以上のように、本実施例によれば、プロジェクタ１０１は、どの位置にどのカラーモードに対応した調整部材２２１が配置されているかを把握することができるため、調整ユニット２１１をより適切に駆動することができる。
【００５９】
また、本実施例によれば、プロジェクタ１０１は、あるカラーモードに対応した調整部材２２１が別のカラーモードに対応した調整部材２２１に変更された場合であっても、変更後の調整部材２２１が対応しているカラーモードを把握することができ、カラーモードの変更や仕様の変更等にも適切に対応することができる。
【００６０】
また、本実施例によれば、プロジェクタ１０１は、調整ユニット２１１に設けられている調整部材２２１のカラーモードを把握することができるため、調整ユニット２１１の最新の状態を把握することができ、カラーモードの変更や仕様の変更等にも適切に対応することができる。
【００６１】
（第３の実施例）
第１および第２の実施例では調整部材２２０、２２１は透過型のものであるが、反射型の調整部材も採用可能である。また、第１および第２の実施例では前面投写型のプロジェクタ１００、１０１が用いられているが、本発明はリアプロジェクタに適用されてもよい。図１１は、第３の実施例におけるリアプロジェクタ４００の模式図である。
【００６２】
リアプロジェクタ４００は、プロジェクタ１０１と、リアプロジェクタ４００の背面に設けられ、反射型の調整部材２２２−１、２２２−２を有する調整ユニット２１２と、調整ユニット２１２を垂直方向に駆動する駆動部２３１と、リアプロジェクタ４００の前面に設けられた透過型スクリーン４１０を含んで構成されている。
【００６３】
例えば、図１１に示す状態では、プロジェクタ１０１からの光が調整部材２２２−２で反射して透過型スクリーン４１０を透過しているが、駆動部２３１が調整ユニット２１２を下方向に移動させることにより、プロジェクタ１０１からの光が調整部材２２２−１で反射して透過型スクリーン４１０を透過するように調整することができる。
【００６４】
このように、本実施例によれば、リアプロジェクタ４００は、反射型の調整部材２２２を用いて第１および第２の実施例と同様の作用効果を奏することができる。
【００６５】
（第４の実施例）
第１〜第３の実施例では、調整部材２２０〜２２２は矩形状であるが形状は任意であり、例えば、調整部材は円形状であってもよい。また、第１〜第３の実施例では、調整ユニット２１０〜２１２は、垂直方向、水平方向に駆動されたが、調整ユニットは回転駆動されてもよい。また、プレビュー専用の調整部材が設けられてもよい。
【００６６】
図１２は、第４の実施例における調整ユニット２１３の正面図である。調整ユニット２１３は、プロジェクタ１００の前面中央の最上部を回転軸として回転可能に形成されている。また、調整ユニット２１３は、プレビュー専用の３つの区分領域に区分された調整部材２２３−１と、第１のカラーモード（例えば、プレゼンテーション等）に応じた調整部材２２３−２と、第２のカラーモード（例えば、シアター等）に応じた調整部材２２３−３と、第４のカラーモード（例えば、ｓＲＧＢ等）に応じた調整部材２２３−４と、これらを支持する支持部２２８を含んで構成されている。
【００６７】
駆動部２３２が調整ユニット２１３を回転駆動することにより、調整部材２２３−１がプロジェクタ１００のレンズを覆う状態になる。これにより、３つのカラーモードに応じた一覧プレビュー画像が投写される。
【００６８】
また、特定のカラーモード（ここでは、シアターとする。）が選択された場合、駆動部２３２が、調整ユニット２１３を回転駆動することにより、調整部材２２３−３をプロジェクタ１００のレンズの位置に移動させることにより、選択されたカラーモードに応じた画像が投写される。
【００６９】
以上のように、調整部材２２３が円形状であり、調整ユニット２１３が回転駆動される場合であっても、第１〜第３の実施例と同様の作用効果が奏される。なお、調整部材２２３も支持部２２８に対して着脱自在に形成されてもよい。
【００７０】
（その他の実施例）
なお、本発明の適用は上述した実施例に限定されず、種々の変形が可能である。例えば、調整部材２２０〜２２３だけではカラーモードに応じた画像を投写できない場合、画像生成部１５０は、選択されたカラーモードに応じて色および明るさの少なくとも一方を補助的に調整して画像を生成してもよい。
【００７１】
また、対象画像は、現在表示されている画像には限定されず、例えば、プレビュー専用の画像、単一色の画像等であってもよい。また、上述した実施例では、プレビュー時と通常時で光源１９２の輝度が変更されているが、光源１９２の輝度は変更されなくてもよい。
【００７２】
また、調整部材２２０〜２２３を介さずに画像が投写されてもよい。また、複数の調整部材２２０〜２２３を介して（例えば、２つの調整部材２２１を画像の光が透過して）画像が投写されてもよい。
【００７３】
また、上述した実施例では、調整部材２２０〜２２３は、プロジェクタ本体の外部に設けられているが、プロジェクタ本体の内部に設けられてもよい。具体的には、例えば、投写用の光が投写用のレンズに入射する直前の位置に調整部材が設けられてもよい。
【００７４】
また、第２の実施例では、調整部材２２１は、識別情報２２５を記憶する記憶部２２４を有しているが、例えば、識別情報が２次元バーコード等であってもよい。この場合、情報入力部２４０は、調整部材２２１に印字された２次元バーコードを読み取ることにより、識別情報を入力してもよい。
【００７５】
また、プロジェクタ１００、１０１は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００７６】
【図１】図１（Ａ）は、第１の実施例におけるプロジェクタのプレビュー時の正面図であり、図１（Ｂ）は、第１の実施例におけるプロジェクタの通常時の正面図である。
【図２】図２（Ａ）は、第１の実施例におけるプロジェクタのプレビュー時の側面図であり、図２（Ｂ）は、第１の実施例におけるプロジェクタの通常時の側面図である。
【図３】図３（Ａ）は、第１の実施例における生成時の一覧プレビュー画像の一例を示す図であり、図３（Ｂ）は、第１の実施例における投写時の一覧プレビュー画像の一例を示す図である。
【図４】第１の実施例におけるプロジェクタの機能ブロック図である。
【図５】第１の実施例におけるカラーモード変更時の処理の流れを示すフローチャートである。
【図６】図６（Ａ）は、第１の実施例における変更前の投写時の通常画像を示す図であり、図６（Ｂ）は、第１の実施例における変更後の投写時の通常画像を示す図である。
【図７】第２の実施例における調整部材と支持部を示す図である。
【図８】第２の実施例におけるプロジェクタの機能ブロック図である。
【図９】第２の実施例における調整装置の機能ブロック図である。
【図１０】第２の実施例における調整部材の着脱時の処理の流れを示すフローチャートである。
【図１１】第３の実施例におけるリアプロジェクタの模式図である。
【図１２】第４の実施例における調整ユニットの正面図である。
【符号の説明】
【００７７】
１００、１０１  プロジェクタ、１１０  画像入力部、１１２  情報入力部、１１４  情報出力部、１２０  更新部、１３０  記憶部、１３２  選択可能カラーモードデータ、１３４  画像データ、１４０  判定部、１５０  画像生成部、１６０  制御部、１９０  投写部、１９２  光源、２００  調整装置、２１０〜２１３  調整ユニット、２２０〜２２３  調整部材、２２４  記憶部、２２５  識別情報、２２６  透過フィルタ、２２８、２２９  支持部、２３０〜２３２  駆動部、２４０  情報入力部、２５０  更新部、２６０  記憶部、２６２  識別情報、２６４  配置情報、２７０  情報出力部、３００  一覧プレビュー画像、３０２  対象画像、３１０、３１２  通常画像、４００  リアプロジェクタ、４１０  透過型スクリーン
【図１】
2009169134.tif 000003
【図２】
2009169134.tif 000004
【図３】
2009169134.tif 000005
【図４】
2009169134.tif 000006
【図５】
2009169134.tif 000007
【図６】
2009169134.tif 000008
【図７】
2009169134.tif 000009
【図８】
2009169134.tif 000010
【図９】
2009169134.tif 000011
【図１０】
2009169134.tif 000012
【図１１】
2009169134.tif 000013
【図１２】
2009169134.tif 000014